(57)【特許請求の範囲】
【請求項１】
表示部と、
前記表示部の表示画面に沿って移動可能に設けられ、ボタン部を有した操作部と、
車両が備える複数の機能のうち、前記ボタン部で操作を受け付ける機能を、前記操作部の位置に応じて切り替える機能切り替え部と、
前記ボタン部の裏面側に照射される光の態様を、前記操作部の位置に応じて切り替える出力制御部と
を備え、
前記ボタン部は、互いに異なる色の光を拡散する特性を有した複数の表示層が重ねて設けられ、
前記出力制御部は、前記表示部から発せされた光を、前記操作部の位置に応じた色の光に切り替えて前記ボタン部の裏面側に照射させることにより、前記複数の表示層のうちのいずれか一つの表示層における文字またはマークを選択的に表示させること
を特徴とする車載情報装置。
【請求項２】
前記表示部は、
タッチ操作を受け付けるタッチパネルを有し、
前記ボタン部は、
前記タッチパネルに対してタッチ操作すること
を特徴とする請求項１記載の車載情報装置。
【発明の詳細な説明】
【技術分野】
【０００１】
この発明は、車両が備える複数の機能を操作する車載情報装置に関する。
【背景技術】
【０００２】
近年、複数の機能を備えた車両が普及している。例えば、エアコントローラの温度調節機能、オーディオ装置の楽曲再生機能、ナビゲーション装置のナビゲーション機能などが標準装備された車両もある。また、これらの機能は、１つの車載情報装置から操作可能である場合が多い。【０００３】
例えば、特許文献１には、車両が備える複数の機能を操作可能な車載用操作表示装置が記載されている。この装置は、タッチパネル付きの表示画面を有するタッチディスプレイと、上記表示画面に沿った移動操作が可能に設けられた操作プレート部と、操作プレート部に設けられた突形状のスイッチ部とを備える。タッチディスプレイの表示画面のうち、操作プレート部の移動位置に対応する画面領域に操作用画像が表示される。スイッチ部を用いて操作用画像を操作することで、この操作用画像に対応する機能が操作される。
【先行技術文献】
【特許文献】
【０００４】
【特許文献１】特開２０１３−２２０７３６号公報
【発明の概要】
【発明が解決しようとする課題】
【０００５】
しかしながら、特許文献１に記載された車載用操作表示装置では、操作プレート部ごとに機能が割り当てられるので、車両が備える複数の機能を操作する場合、操作対象の機能の数だけ操作プレート部が必要であり、部品点数が増加するという課題があった。【０００６】
この発明は上記課題を解決するもので、部品点数を増加させずに複数の機能を操作することができる車載情報装置を得ることを目的とする。
【課題を解決するための手段】
【０００７】
この発明に係る車載情報装置は、表示部と、表示部の表示画面に沿って移動可能に設けられ、ボタン部を有した操作部と、車両が備える複数の機能のうち、ボタン部で操作を受け付ける機能を、操作部の位置に応じて切り替える機能切り替え部と、ボタン部の裏面側に照射される光の態様を、操作部の位置に応じて切り替える出力制御部を備え、ボタン部は、互いに異なる色の光を拡散する特性を有した複数の表示層が重ねて設けられ、出力制御部は、表示部から発せされた光を、操作部の位置に応じた色の光に切り替えてボタン部の裏面側に照射させることにより、複数の表示層のうちのいずれか一つの表示層における文字またはマークを選択的に表示させる。
【発明の効果】
【０００８】
この発明によれば、ボタン部で操作を受け付ける機能が操作部の位置に応じて切り替えられるので、部品点数を増加させずに複数の機能を操作することができる。
【図面の簡単な説明】
【０００９】
【図１】この発明の実施の形態１に係る車載情報装置を示す平面図である。
【図２】図２Ａは、実施の形態１に係る車載情報装置を示す平面図である。図２Ｂは、図２Ａの矢印Ｃ方向から見た車載情報装置を示す図である。図２Ｃは、図２Ｂの矢印Ｄ方向から見た車載情報装置を示す図である。
【図３】図２ＡのＡ−Ａ線で切った車載情報装置を示す断面矢示図である。
【図４】実施の形態１に係る車載情報装置の機能構成を示すブロック図である。
【図５】図５Ａは、複数の表示層を示す斜視図である。図５Ｂは、図５Ａの薄膜層で構成された積層部を示す斜視図である。図５Ｃは、バックライトＬ１が照射されたときの積層部の表示態様を示す図である。図５Ｄは、バックライトＬ２が照射されたときの積層部の表示態様を示す図である。
【図６】図６Ａは、図２ＡのＢ−Ｂ線で切った車載情報装置の例を示す断面矢示図である。図６Ｂは、図２ＡのＢ−Ｂ線で切った車載情報装置の他の例を示す断面矢示図である。
【発明を実施するための形態】
【００１０】
以下、この発明をより詳細に説明するため、この発明を実施するための形態について、添付の図面に従って説明する。
実施の形態１．
図１は、この発明の実施の形態１に係る車載情報装置１を示す平面図であり、操作プレート３を最上部に移動させた状態を示している。
図２Ａは、車載情報装置１を示す平面図であり、操作プレート３を最下部に移動させた状態を示している。図２Ｂは、図２Ａの矢印Ｃ方向から見た車載情報装置１を示す図である。図２Ｃは、図２Ｂの矢印Ｄ方向から見た車載情報装置１を示す図である。
図３は、図２ＡのＡ−Ａ線で切った車載情報装置１を示す断面矢示図である。
【００１１】
車載情報装置１は、車両に搭載された複数の車載機器の各機能を操作する装置であり、例えば、車両のインストルメントパネルのセンタークラスタに設けられる。
車載情報装置１は、図１、図２Ａから図２Ｃに示すように、本体ユニット２および操作プレート３を備える。本体ユニット２は、表示部４を備える。操作プレート３は、表示部４の表示内容に関連した機能の操作を受け付ける操作部であって、ハードウェアボタンであるボタン部５を備えている。
【００１２】
操作プレート３は、図３に示すように、プレート部３Ａと、側板部３Ｂ−１および側板部３Ｂ−２とを備える。プレート部３Ａは、表示部４の表示画面に沿って延びた操作プレート３の本体部材である。側板部３Ｂ−１は、プレート部３Ａの一方の端部から本体ユニット２の側面２Ｂ−１に沿って延びた板状部材であり、側面２Ｂ−１側に突出するガイド部３ａを有する。側板部３Ｂ−２は、プレート部３Ａの他方の端部から本体ユニット２の側面２Ｂ−２に沿って延びた板状部材であり、側面２Ｂ−２側に突出するガイド部３ａを有する。
【００１３】
本体ユニット２の側面２Ｂ−１と側面２Ｂ−２のそれぞれには、ガイドスリット２ａが設けられる。ガイドスリット２ａは、図１に示す矢印ａ方向に延びるスリットである。
操作プレート３は、ガイド部３ａがガイドスリット２ａに嵌め込まれた状態で本体ユニット２に取り付けられ、表示部４の表示画面上でガイドスリット２ａに沿って移動させることができる。すなわち、操作プレート３は、表示部４の表示画面に沿って矢印ａ方向にスライド移動が可能である。なお、矢印ａ方向は、表示部４の短手方向である。
【００１４】
表示部４は、図３に示すように、表示パネル４−１およびタッチパネル４−２を備えた表示部であり、本体ユニット２に設けられる。
表示パネル４−１は、車両が備える機能に関連した画像を表示する表示パネルであり、液晶ディスプレイなどを適用可能である。例えば、操作プレート３でナビゲーション機能を操作する場合、表示パネル４−１には、車両位置を含む地図が表示される。
タッチパネル４−２は、表示パネル４−１に表示された内容に対するタッチ操作を受け付ける。例えば、タッチパネル４−２を使用して、表示パネル４−１に表示された地図のスクロール操作を行うことができる。
【００１５】
スイッチ３Ａ−２は、図３に示すように、中心軸内部が中空のスイッチであり、回路部３Ｃに実装されている。例えば、スイッチ３Ａ−２は、ボタン部５によってスイッチノブが押し込まれると接点が導通してオン状態となり、スイッチノブの押し込みが解除されると、スイッチノブが元の位置に復帰して接点が遮断されてオフ状態になる。
【００１６】
ボタン部５は、透光性または半透光性の樹脂によって形成された部材であって、図３に示すように、プレート部３Ａの開口部３Ａ−１から表面（おもて面）側が外部に露出している。また、ボタン部５の表面には、透光性の材料で文字またはマークが印刷され、この印刷部分以外には、非透光性の表面処理が施されている。
【００１７】
光源３Ａ−３は、発光ダイオード（ＬＥＤ）などの光源であって、回路部３Ｃに実装されている。例えば、光源３Ａ−３は、図３に示すように、スイッチ３Ａ−２の中空部分に配置されて、ボタン部５の裏面に向けて光を照射する。ボタン部５の裏面に照射された光は、ボタン部５を透過して、透光性の材料で印刷された文字またはマークの部分から外部に放射される。これにより、ボタン部５の表面で文字またはマークの部分が照明される。
【００１８】
回路部３Ｃは、スイッチ３Ａ−２および光源３Ａ−３を実装する回路基板を含んで構成され、操作プレート３内に配置される。ボタン部５の表面側が押下されると、ボタン部５は、操作プレート３の開口部３Ａ−１の内壁に沿って移動して、スイッチ３Ａ−２を押下する。これにより、スイッチ３Ａ−２がオン状態となり、表示部４の表示内容に関連した機能の操作が実行される。
【００１９】
制御回路部６は、車載情報装置１の機能を実行する処理回路であり、本体ユニット２内に設けられる。また、制御回路部６は、本体ユニット２内に設けられた電極部７ａの一方の端部に接続され、回路部３Ｃは、操作プレート３内に設けられた電極部７ｂの一方の端部に接続されている。
【００２０】
電極部７ａの他方の端部は、ガイドスリット２ａとガイド部３ａとの間で電極部７ｂの他方の端部と電気的に接続される。電極部７ａおよび電極部７ｂを経由して、回路部３Ｃに電源が表示部４に供給される。回路部３Ｃで受け付けられたボタン部５の操作情報は、電極部７ａおよび電極部７ｂを経由して、操作プレート３から本体ユニット２の制御回路部６に出力される。
【００２１】
ガイドスリット２ａまたはガイド部３ａは、操作プレート３のスライド位置を検出するための位置センサ（不図示）を有する。位置センサによって検出された操作プレート３の位置情報は、制御回路部６に出力される。制御回路部６は、位置センサから入力した操作プレート３の位置情報に基づいて、表示部４の表示を制御する。
【００２２】
図４は、車載情報装置１の機能構成を示すブロック図であり、図１と同一の構成要素には同一の符号を付して説明を省略する。車載情報装置１は、図４に示すように、機能切り替え部８、出力制御部９および機能実行部１０を備える。機能切り替え部８、出力制御部９および機能実行部１０の各機能は、制御回路部６によって実現される。
【００２３】
機能切り替え部８は、車両が備える複数の機能のうち、操作プレート３で操作を受け付ける機能を、操作プレート３の位置に応じて切り替える。
例えば、機能切り替え部８は、機能と位置とが対応付けられた対応データを参照して、操作プレート３で操作を受け付ける機能を、上記位置センサから入力した操作プレート３の位置情報に対応する機能に切り替える。
【００２４】
出力制御部９は、機能切り替え部８によって設定された機能に応じて表示部４の表示を制御する。例えば、操作プレート３で操作を受け付ける機能がナビゲーション機能であれば、出力制御部９は、車両位置を含む地図を表示部４に表示させる。
また、出力制御部９は、ボタン部５の裏面側に照射される光の態様を、操作プレート３の位置に応じて切り替える。これにより、ボタン部５を、機能切り替え部８によって設定された機能に応じた態様に変更することができる。
例えば、光源３Ａ−３から照射される光の色、輝度、照射パターンを切り替えることにより、ボタン部５の表面に印刷された文字またはマークの部分の照明状態を変更する。
【００２５】
機能実行部１０は、操作プレート３の操作に応じて、機能切り替え部８が設定した機能を実行する。例えば、ズームアップに対応するボタン部５が押下操作されると、機能実行部１０は、表示部４に表示された地図をズームアップする機能を実行する。
なお、機能実行部１０は、車載情報装置１によって制御される外部装置が備える構成であってもよい。例えば、機能実行部１０は、車載情報装置１の機能切り替え部８から通知された機能を、上記外部装置において実行する。この場合、機能実行部１０は、車載情報装置１の構成から除かれる。
【００２６】
これまでボタン部５に文字またはマークを印刷する構成を示したが、ボタン部５の表面には、互いに異なる色の光を拡散する特性を有した複数の表示層を重ねて設けてもよい。
図５Ａは、複数の表示層を示す図であって、フィルム層５ａ、表示層５ｂおよび表示層５ｃを示している。図５Ｂは、図５Ａの薄膜層で構成された積層部５Ａを示す図である。図５Ｃは、バックライトＬ１が照射されたときの積層部５Ａの表示態様を示す図である。図５Ｄは、バックライトＬ２が照射されたときの積層部５Ａの表示態様を示す図である。
【００２７】
フィルム層５ａは、下層にある表示層５ｂと表示層５ｃの保護層となる薄膜層であり、バックライトＬ１，Ｌ２のいずれも透過する材料で形成されている。
表示層５ｂは、バックライトＬ１（例えば、赤色光）を拡散する材料で文字部５ｂ−１を印刷し、バックライトＬ２を透過するとともにバックライトＬ１を吸収する材料で文字部５ｂ−１以外を印刷して形成されている。
【００２８】
表示層５ｃは、バックライトＬ２（例えば、青色光）を拡散する材料で文字部５ｃ−１を印刷し、バックライトＬ１を透過するとともにバックライトＬ２を吸収する材料で文字部５ｃ−１以外を印刷して形成されている。
積層部５Ａは、フィルム層５ａ、表示層５ｂおよび表示層５ｃがボタン部５の表面上に積層されて形成されている。
【００２９】
出力制御部９は、ボタン部５で操作を受け付ける機能としてナビゲーション機能が設定されると、光源３Ａ−３を制御してボタン部５の裏面にバックライトＬ１を照射させる。
バックライトＬ１は、表示層５ｃを透過してから、表示層５ｂにおける文字部５ｂ−１で拡散し、文字部５ｂ−１以外の部位で吸収される。さらに、文字部５ｂ−１で拡散したバックライトＬ１はフィルム層５ａを透過するので、図５Ｃに示すように文字部５ｂ−１が選択的に表示される。
【００３０】
また、出力制御部９は、ボタン部５で操作を受け付ける機能としてラジオ機能が設定されると、光源３Ａ−３を制御してボタン部５の裏面にバックライトＬ２を照射させる。
バックライトＬ２は、表示層５ｃにおける文字部５ｃ−１以外の部位で吸収されるが、文字部５ｃ−１で拡散して表示層５ｂを透過し、さらに、フィルム層５ａを透過する。
これにより、図５Ｄに示すように、文字部５ｃ−１が選択的に表示される。
【００３１】
なお、文字部５ｂ−１，５ｃ−１を例に挙げたが、文字に限らず、マークであってもよい。このような積層部５Ａを設けることで、複数の機能のそれぞれに対応する文字またはマークを選択的に表示することができる。
【００３２】
図６Ａは、図２ＡのＢ−Ｂ線で切った車載情報装置の例を示す断面矢示図である。
これまで操作プレート３が光源３Ａ−３を有する構成を示したが、図６Ａに示すように表示部４の光をボタン部５の裏面に照射させる構成であってもよい。
例えば、ボタン部５の裏面と表示部４との間の構成は除かれる。
出力制御部９は、上記位置センサから入力した操作プレート３の位置情報に基づいて、表示部４の表示画面のうち、操作プレート３と重なった画面領域をバックライト領域４−３に決定する。出力制御部９は、バックライト領域４−３の輝度を、バックライト領域４−３以外の部位よりも高くする。これにより、バックライト領域４−３から発せられた光が、バックライトとしてボタン部５の裏面に照射される。
このように構成することで、光源３Ａ−３が不要となり、ボタン部５をより簡易な構成で実現することが可能となる。
【００３３】
図６Ｂは、図２ＡのＢ−Ｂ線で切った車載情報装置の他の例を示す断面矢示図である。
これまで操作プレート３がスイッチ３Ａ−２を操作する構成を示したが、図６Ｂに示すように、ボタン部５が、タッチパネル４−２をタッチ操作する構成であってもよい。
例えば、ボタン部５の裏面には押し子５-１が設けられる。
タッチパネル４−２は、制御回路部６の制御により、機能切り替え部８が設定した機能の操作を、ボタン部５の裏面と対向する部位で受け付ける。ボタン部５が押下操作されると、押し子５−１が、上記部位をタッチ操作する。これにより、機能切り替え部８が設定した機能が実行される。
このように構成することで、スイッチ３Ａ−２が不要となり、ボタン部５をより簡易な構成で実現することが可能となる。
【００３４】
なお、これまでボタン部５が押しボタンである場合を示したが、これに限定されるものではない。ボタン部５は、操作プレート３の位置に応じて操作対象が切り替え可能であればよく、例えば、回転操作を受け付けるロータリースイッチであってもよい。
【００３５】
以上のように、実施の形態１に係る車載情報装置１は、表示部４と、表示部４の表示画面に沿って移動可能に設けられ、ボタン部５を有した操作プレート３と、ボタン部５で操作を受け付ける機能を、操作プレート３の位置に応じて切り替える機能切り替え部８と、ボタン部５の裏面側に照射される光の態様を、操作プレート３の位置に応じて切り替える出力制御部９とを備える。この構成を有することで、ボタン部５で操作を受け付ける機能が操作プレート３の位置に応じて切り替えられるので、部品点数を増加させずに複数の機能を操作することができる。さらに、ボタン部５を、機能切り替え部８によって設定された機能に応じた態様に変更することができる。
【００３６】
実施の形態１に係る車載情報装置１において、ボタン部５は、表示層５ｂ，５ｃが重ねて設けられた積層部５Ａを有する。出力制御部９は、操作プレート３の位置に応じた色の光に切り替えて表示層５ｂおよび表示層５ｃのうちのいずれか一つの表示層における文字またはマークを選択的に表示させる。このように構成することで、複数の機能のそれぞれに対応する文字またはマークを選択的に表示することができる。
【００３７】
実施の形態１に係る車載情報装置１において、表示部４が、タッチパネル４−２を有しており、ボタン部５が、タッチパネル４−２に対してタッチ操作する。
このように構成することで、スイッチ３Ａ−２が不要となり、ボタン部５をより簡易な構成で実現することが可能となる。
【００３８】
実施の形態１に係る車載情報装置１において、出力制御部９が、表示部４の光をボタン部５の裏面に照射させる。このように構成することで、光源３Ａ−３が不要となり、ボタン部５をより簡易な構成で実現することが可能となる。
【００３９】
なお、本発明は、その発明の範囲内において、実施の形態の任意の構成要素の変形、もしくは実施の形態の任意の構成要素の省略が可能である。
【産業上の利用可能性】
【００４０】
この発明に係る車載情報装置は、部品点数を増加させずに複数の機能を操作することができるので、例えば、カーオーディオ、カーナビゲーションなどの複数の機能を操作するマルチメディア装置に好適である。
【符号の説明】
【００４１】
１  車載情報装置、２  本体ユニット、２Ｂ−１，２Ｂ−２  側面、２ａ  ガイドスリット、３  操作プレート、３Ａ  プレート部、３Ａ−１  開口部、３Ａ−２  スイッチ、３Ａ−３  光源、３Ｂ−１，３Ｂ−２  側板部、３Ｃ  回路部、３ａ  ガイド部、４  表示部、４−１  表示パネル、４−２  タッチパネル、４−３  バックライト領域、５  ボタン部、５−１  押し子、５Ａ  積層部、５ａ  フィルム層、５ｂ，５ｃ  表示層、５ｂ−１，５ｃ−１  文字部、６  制御回路部、７ａ，７ｂ  電極部、８  機能切り替え部、９  出力制御部、１０  機能実行部。
【図１】
0006785884.tif 000002
【図２】
0006785884.tif 000003
【図３】
0006785884.tif 000004
【図４】
0006785884.tif 000005
【図５】
0006785884.tif 000006
【図６】
0006785884.tif 000007